(57)【要約】【課題】  撮影者の趣向に応じてアイリスモードの切替方向の設定を容易に変更可能にするとともに，設定したアイリスモードの切替方向と銘板の切替方向の表示を必ず一致させることが可能なレンズ装置を提供する。【解決手段】  本発明に係るレンズ装置１００は，第１位置，第２位置および第３位置の間で移動することにより，光学系を通過する光量を調整するアイリス調整手段３６を手動で操作するマニュアルアイリスモードと，アイリス調整手段３６を自動制御するオートアイリスモードのいずれか一方を選択するアイリスモード切替手段１１０と，アイリスモード切替手段１１０の周囲を覆うように着脱可能に設けられ，アイリスモード切替手段１１０の可動範囲を，少なくとも（１）第１位置と第２位置の間，または（２）第２位置と第３位置の間に規制可能な規制部材１２０とを備える。【選択図】    図６
2007140255.tif 000002
【特許請求の範囲】
【請求項１】
第１位置，第２位置および第３位置の間で移動することにより，光学系を通過する光量を調整するアイリス調整手段を手動で操作するマニュアルアイリスモードと，前記アイリス調整手段を自動制御するオートアイリスモードのいずれか一方を選択するアイリスモード切替手段と；
前記アイリスモード切替手段の周囲を覆うように着脱可能に設けられ，前記アイリスモード切替手段の可動範囲を，少なくとも（１）前記第１位置と前記第２位置の間，または（２）前記第２位置と前記第３位置の間に規制可能な規制部材と；
を備えることを特徴とする，レンズ装置。
【請求項２】
前記規制部材の向きを変えて取り付けることにより，前記アイリスモード切替手段の可動範囲を，（１）前記第１位置と前記第２位置の間と，（２）前記第２位置と前記第３位置の間とで選択可能であることを特徴とする，請求項１に記載のレンズ装置。
【請求項３】
前記規制部材は，前記アイリスモード切替手段の可能範囲を，さらに，（３）前記第１位置のみ，または（４）前記第３位置のみに規制可能であることを特徴とする，請求項１に記載のレンズ装置。
【請求項４】
前記規制部材の向き及び／又は位置を変えて取り付けることにより，前記アイリスモード切替手段の可動範囲を，（１）前記第１位置と前記第２位置の間と，（２）前記第２位置と前記第３位置の間と，（３）前記第１位置のみと，（４）前記第３位置のみとで選択可能であることを特徴とする，請求項３に記載のレンズ装置。
【請求項５】
前記規制部材は，
前記アイリスモード切替手段の可動範囲を規制する規制部と；
前記第１位置，前記第２位置および前記第３位置にそれぞれ対応して設けられ，前記アイリスモード切替手段の位置を示すアイリスモード指標のうち，前記可動範囲内にある前記アイリスモード指標のみを表示する指標表示部と；
を有することを特徴とする，請求項１〜４のいずれかに記載のレンズ装置。
【請求項６】
切替つまみを回転軸を中心として回動させて，前記切替つまみの位置を第１位置，第２位置および第３位置の間で移動することにより，光学系を通過する光量を調整するアイリス調整手段を手動で操作するマニュアルアイリスモードと，前記アイリス調整手段を自動制御するオートアイリスモードのいずれか一方を選択するアイリスモード切替手段と；
前記アイリスモード切替手段の周囲を覆うように設けられ，前記切替つまみの可動範囲を，少なくとも（１）前記第１位置と前記第２位置の間，または（２）前記第２位置と前記第３位置の間に規制可能な規制部材と；
を備えることを特徴とする，レンズ装置。
【請求項７】
前記切替つまみの可動範囲が（１）前記第１位置と前記第２位置の間または（２）前記第２位置と前記第３位置の間のいずれか一方に規制されるように前記アイリスモード切替手段を回動させて取り付けることにより，前記切替つまみの可動範囲を，（１）前記第１位置と前記第２位置の間と，（２）前記第２位置と前記第３位置の間とで選択可能であることを特徴とする，請求項６に記載のレンズ装置。
【請求項８】
前記規制部材は，
前記切替つまみの可動範囲を規制する規制部と；
前記第１位置，前記第２位置および前記第３位置にそれぞれ対応して設けられ，前記切替つまみの位置を示すアイリスモード指標のうち，前記可動範囲内にある前記アイリスモード指標のみを表示する指標表示部と；
を有することを特徴とする，請求項６または７に記載のレンズ装置。
【発明の詳細な説明】
【技術分野】
【０００１】
本発明は，レンズ装置に関し，特に，ＥＮＧカメラ等の放送用テレビカメラに使用されてアイリス調整を自動または手動で行うことが可能なレンズ装置に関する。
【背景技術】
【０００２】
放送用カメラ等に用いられるＥＮＧレンズは，レンズ鏡胴のフォーカスリング，ズームリング，アイリスリングを手動で操作するか，あるいは，レンズ鏡胴側部に取り付けられたドライブユニットと呼ばれるレンズ駆動装置内に配設されたモータの駆動力によって上記フォーカスリング，ズームリング，アイリスリングを駆動して，ズーム，フォーカス，アイリス（絞り）の調整を行うことができるように構成されている。
【０００３】
このようなＥＮＧレンズのアイリスの調整は，カメラマンが直接レンズ鏡胴のアイリスリングを手動により操作するマニュアルアイリスモードで行う場合と，カメラやコントロールユニット等からの信号に基づいて，ドライブユニット内のモータで自動制御するオートアイリスモードで行う場合とがあり，撮影者（カメラマン）が撮影状況に応じて上記２つのモードを切り替えて撮影している。このアイリスモードの切替は，通常，ドライブユニットの外装面に設けられたスライドスイッチを操作して行う（例えば，特許文献１を参照）。
【０００４】
カメラマンは，このようなスライドスイッチの操作方法を体で感覚的に会得している。すなわち，オートアイリスモード（Ａ）とマニュアルアイリスモード（Ｍ）の切替方向は，例えば右から左にスライドスイッチをスライドさせたときに，ＡからＭに切り替わる場合と，ＭからＡに切り替わる場合の２種類の方向があり，カメラマンは普段使い慣れた方向を感覚的に会得している。そのため，普段使い慣れた切替方向と逆になっているレンズ装置は使用しにくく，誤操作のおそれがある。
【０００５】
従来は，使用するカメラマンの趣向に応じて，例えばドライブユニット前面のカバー内にあるディップスイッチ使用してアイリスモードの切替方向（Ａ−Ｍの向き）を設定し，設定した切替方向を表示した銘板を貼付することにより，アイリスモードの切替方向を自由に設定することができた。
【０００６】
【特許文献１】特開２００５−９１５９２号公報
【発明の開示】
【発明が解決しようとする課題】
【０００７】
しかしながら，上述した方法では，アイリスモードの切替方向の設定操作が煩雑であり，設定したアイリスモードの切替方向と銘板の表示とが一致しない，という問題があった。例えば，ディップスイッチは小さく，指では設定できないため，先のとがった棒などで切り替えなければならない。また，ディップスイッチの設定と銘板の貼付は別作業であるので，設定したアイリスモードの切替方向と銘板の表示が一致しない場合がある。また，製品と同梱してある銘板を紛失する可能性がある。さらに，銘板の貼り替えを繰り返すと，銘板の粘着力が低下し，脱落する可能性がある。
【０００８】
そこで，本発明は，このような問題に鑑みてなされたもので，その目的は，撮影者の趣向に応じてアイリスモードの切替方向の設定を容易に変更可能にするとともに，設定したアイリスモードの切替方向と銘板の切替方向の表示を必ず一致させることが可能な，新規かつ改良されたレンズ装置を提供することにある。
【課題を解決するための手段】
【０００９】
上記課題を解決するために，本発明のある観点によれば，第１位置，第２位置および第３位置の間で移動することにより，光学系を通過する光量を調整するアイリス調整手段を手動で操作するマニュアルアイリスモードと，アイリス調整手段を自動制御するオートアイリスモードのいずれか一方を選択するアイリスモード切替手段と；アイリスモード切替手段の周囲を覆うように着脱可能に設けられ，アイリスモード切替手段の可動範囲を，少なくとも（１）第１位置と第２位置の間，または（２）第２位置と第３位置の間に規制可能な規制部材と；を備えることを特徴とするレンズ装置が提供される。
【００１０】
このように，本発明に係るレンズ装置では，アイリスモード切替手段の可動範囲を規制する規制部材がアイリスモード切替スイッチと着脱可能に構成されている。したがって，撮影者がアイリスモード切替方向の設定を切り替えたい場合には，ディップスイッチ等の煩雑な操作をすることなく，容易にアイリスモード切替方向の設定を切り替えることができる。また，本発明に係るレンズ装置では，アイリスモードの指標を貼りかえる必要も無く，アイリスモードの切替方向と指標の表示が必ず一致するようにすることができる。さらに，アイリスモードの指標は銘板ではなく，貼りかえる必要もないので，銘板を紛失することもなく，銘板の貼り替えを繰り返しによる銘板の脱落もない。
【００１１】
ここで，上記レンズ装置において，規制部材の向きを変えて取り付けることにより，アイリスモード切替手段の可動範囲を，（１）第１位置と第２位置の間と，（２）第２位置と第３位置の間とで選択可能であるように構成することができる。
【００１２】
かかる構成を有することにより，撮影者がアイリスモード切替方向の設定を切り替えたい場合には，規制部材の向きを変えて取り付けるだけで，容易にアイリスモード切替方向の設定を切り替えることができる。
【００１３】
また，規制部材は，アイリスモード切替手段の可能範囲を，さらに，（３）第１位置のみ，または（４）第３位置のみに規制可能であるように構成してもよい。これにより，本発明に係るレンズ装置では，アイリスモードをオートアイリスモードで固定（ＬＯＣＫ）することもできる。これにより，スタジオでの撮影等においてアイリスモードをオートアイリスモードに固定して撮影する場合に，撮影者の誤操作によるアイリスの制御が不能になるという不都合を防止することができる。
【００１４】
この場合に，レンズ装置は，規制部材の向き及び／又は位置を変えて取り付けることにより，アイリスモード切替手段の可動範囲を，（１）第１位置と第２位置の間と，（２）第２位置と第３位置の間と，（３）第１位置のみと，（４）第３位置のみとで選択可能であるように構成することができる。
【００１５】
かかる構成を有することにより，撮影者がアイリスモード切替方向の設定を切り替えたい場合には，規制部材の向き及び／又は位置を変えて取り付けるだけで，容易にアイリスモード切替方向の設定を切り替えることができる。
【００１６】
また，上記レンズ装置において，規制部材は，アイリスモード切替手段の可動範囲を規制する規制部と；第１位置，第２位置および第３位置にそれぞれ対応して設けられ，アイリスモード切替手段の位置を示すアイリスモード指標のうち，可動範囲内にあるアイリスモード指標のみを表示する指標表示部と；を有するように構成してもよい。
【００１７】
かかる構成を有することにより，本発明に係るレンズ装置では，アイリスモードの指標を貼りかえる必要も無く，規制部と指標表示部の位置および形状により，アイリスモードの切替方向と指標の表示が必ず一致するようにすることができる。
【００１８】
上記課題を解決するために，本発明の別の観点によれば，切替つまみを回転軸を中心として回動させて，切替つまみの位置を第１位置，第２位置および第３位置の間で移動することにより，光学系を通過する光量を調整するアイリス調整手段を手動で操作するマニュアルアイリスモードと，アイリス調整手段を自動制御するオートアイリスモードのいずれか一方を選択するアイリスモード切替手段と；アイリスモード切替手段の周囲を覆うように設けられ，切替つまみの可動範囲を，少なくとも（１）第１位置と第２位置の間，または（２）第２位置と第３位置の間に規制可能な規制部材と；を備えることを特徴とするレンズ装置が提供される。
【００１９】
このように，本発明に係るレンズ装置では，撮影者がアイリスモード切替方向の設定を切り替えたい場合には，ディップスイッチ等の煩雑な操作をすることなく，容易にアイリスモード切替方向の設定を切り替えることができる。また，本発明に係るレンズ装置においては，アイリスモードの指標を貼りかえる必要も無く，アイリスモードの切替方向と指標の表示が必ず一致するようにすることができる。さらに，アイリスモードの指標は銘板ではなく，貼りかえる必要もないので，銘板を紛失することもなく，銘板の貼り替えを繰り返しによる銘板の脱落もない。
【００２０】
ここで，上記レンズ装置において，切替つまみの可動範囲が（１）第１位置と第２位置の間または（２）第２位置と第３位置の間のいずれか一方に規制されるようにアイリスモード切替手段を回動させて取り付けることにより，切替つまみの可動範囲を，（１）第１位置と第２位置の間と，（２）第２位置と第３位置の間とで選択可能であるように構成することができる。
【００２１】
かかる構成を有することにより，かかる構成を有することにより，撮影者がアイリスモード切替方向の設定を切り替えたい場合には，アイリスモード切替手段を回動させて取り付けるだけで，容易にアイリスモード切替方向の設定を切り替えることができる。
【００２２】
また，上記レンズ装置において，規制部材は，切替つまみの可動範囲を規制する規制部と；第１位置，第２位置および第３位置にそれぞれ対応して設けられ，切替つまみの位置を示すアイリスモード指標のうち，可動範囲内にあるアイリスモード指標のみを表示する指標表示部と；を有するように構成してもよい。
【００２３】
かかる構成を有することにより，本発明に係るレンズ装置では，アイリスモードの指標を貼りかえる必要も無く，規制部と指標表示部の位置および形状により，アイリスモードの切替方向と指標の表示が必ず一致するようにすることができる。
【発明の効果】
【００２４】
本発明によれば，アイリスモード切替手段の可動範囲を規制する規制部材を備えることにより，撮影者の趣向に応じてアイリスモード切替方向の設定を容易に切替可能にするとともに，設定したアイリスモードの切替方向と銘板の切替方向の表示を必ず一致させることが可能な，レンズ装置を提供することができる。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
（従来のレンズ装置１０の構成および動作）
本発明の第１の実施形態に係るレンズ装置は，従来のレンズ装置１０に対して，マニュアルアイリスモードとオートアイリスモードのいずれか一方を選択するアイリスモード切替手段の可動範囲を規制する規制部材を取り付けたものであり，他の部材については，従来のレンズ装置１０の構成を適用することができる。そこで，まず，このレンズ装置１０の構成および動作について説明する。
【００２７】
初めに，図１〜図３に基づいて，従来のレンズ装置１０の外観構成について説明する。なお，図１は，従来のレンズ装置１０の外観構成を示す平面図であり，図２は，従来のレンズ装置１０の外観構成を示す正面図であり，図３は，図１に示すレンズ装置１０に設けられたドライブユニット２０の拡大斜視図である。
【００２８】
図１〜図３に示すように，レンズ装置１０は，例えば，ＥＮＧカメラ等の放送用テレビカメラに用いられるＥＮＧレンズであり，ドライブユニット２０が略円筒状のレンズ鏡胴３０の側部に装着された構造となっている。以下，各部の構成について詳細に説明する。
【００２９】
レンズ鏡胴３０の外周部には，前方（被写体側）から順に，フォーカスリング３２，ズームリング３４およびアイリスリング３６が設けられ，レンズ鏡胴３０の後端部にはエクステンダー装置３８が設けられている。また，レンズ鏡胴３０の内部には，光軸方向に沿って前方から順に，固定フォーカスレンズ，移動フォーカスレンズ，ズームレンズ，アイリス（絞り）及びリレーレンズ（いずれも図示せず）等が設けられ，その後方に，エクステンダーレンズ（図示せず）が配置される。かかる構成において，フォーカスリング３２を回動させることにより，移動フォーカスレンズが光軸に沿って前後に移動してフォーカス調整が行われる。また，ズームリング３４を回動させることにより，ズームレンズが光軸に沿って前後に移動してズーム調整が行われる。また，アイリスリング３６を回動させることにより，アイリスの絞り径が調整されるようになっている。
【００３０】
レンズ鏡胴３０の側部には，上述したように，ドライブユニット２０が装着される。ドライブユニット２０は，その内部に設けられたモータにより，フォーカスリング３２，ズームリング３４およびアイリスリング３６等を駆動する。
【００３１】
ドライブユニット２０はケース４０を有し，このケース４０はビス４２，４２を解してレンズ鏡胴３０の側部に装着されている。ケース４０の内部には，フォーカス駆動用モータ（図示せず）が配設され，このフォーカス駆動用モータは，駆動ギヤ（図示せず）を介してフォーカスリング３２と噛み合い，フォーカスリング３２を回動させる。また，ケース４０の内部には，ズーム駆動用モータ（図示せず）が配設され，このズーム駆動用モータは，駆動ギヤ（図示せず）を介してズームリング３４と噛み合い，ズームリング３４を回動させる。さらに，ケース４０の内部には，アイリス駆動用モータ（図示せず）が配設され，このアイリス駆動用モータは，駆動ギヤ（図示せず）を介してアイリスリング３６と噛み合い，アイリスリング３６を回動させる。
【００３２】
ケース４０の外装面には，ズームシーソーコントロールレバー４４（以下，「シーソーレバー４４」という），アイリスモード切替部４６，アイリスモーメンタリスイッチ４７，アイリスモード指標（銘板）４８，リターンスイッチ５０，ＶＴＲスイッチ５２およびクイックスイッチ５４等の各種操作部材等が配設されている。このうち，シーソーレバー４４は，中立位置を基準に揺動自在に設置され，シーソーレバー４４をテレ（Ｔ）側またはワイド（Ｗ）側に操作すると，ズームリング３４がテレ側またはワイド側に回動するように構成されている。また，シーソーレバー４４の押し込み量（操作量）によってズームスピードを調整することができ，その押し込み量が大きいほどズームスピードは高速になる。また，ケース４０の後面にはズーム最大スピード調節ツマミ５６が配設されており，このツマミ５６は，シーソーレバー４４を最も深く押し込んだときのズームスピード（ズーム最大スピード）を調節するものである。また，アイリスモード切替部４６は，光学系（図示せず）を通過する光量を調整するアイリスリング３６等のアイリス調整手段を手動で操作するマニュアルアイリスモードと，上記アイリス調整手段を自動制御するオートアイリスモードのいずれか一方を選択するためのものである。さらに，アイリスモード指標４８は，例えば，図１及び図３に示すように，オートアイリスモードを示す「Ａ」の文字，マニュアルアイリスモードを示す「Ｍ」の文字，およびスライドスイッチの位置を示す目盛り等を表記したものである。なお，アイリスモード指標４８は，貼付／剥離が可能なように，ドライブユニットの外装面に取り付けられている。
【００３３】
また，図２に示すように，ドライブユニット２０の外装面の前面（被写体）側には，ディップスイッチ４９が配設されている。このディップスイッチ４９は，アイリスモードの切替方向を設定するスイッチである。ここで，本発明におけるアイリスモードの切替方向とは，オートアイリスモードとマニュアルアイリスモードとの間でアイリスモードを切り替える際の，アイリスモード切替部４６のスライドスイッチ（図示せず）のスライド方向のことをいう。
【００３４】
次に，図４に基づいて，レンズ装置１０を備えるテレビレンズシステムの構成について説明する。なお，図４は，レンズ装置１０を備えるテレビレンズシステムの構成を示す説明図である。
【００３５】
図４に示すように，テレビレンズシステムは，レンズ装置１０と，カメラ（テレビカメラ本体）１２と，レンズ駆動部１４とを備える。レンズ装置１０は，例えば，カメラ１２のレンズマウントに測距装置（図示せず）を介して装着され，被写体をカメラ１２の撮像面に結像する。レンズ装置１０には，フォーカス調整のためのフォーカスレンズ（群）７０や，撮影倍率を変更するためのズームレンズ（群）８０が光軸方向に移動可能に配置される。また，ズームレンズ８０のさらに光軸方向背面側（カメラ１２の近傍側）には，光学系を通過する光量を調整するためのアイリス（絞り）９０が配置される。なお，レンズ装置１０には，フォーカスレンズ７０やズームレンズ８０意義あのレンズ等も配設されるが，その説明を省略する。
【００３６】
レンズ駆動部１４は，フォーカスレンズ７０，ズームレンズ８０，アイリス９０等のレンズ装置１０の動作部をそれぞれモータ７２，８２，９２によって駆動する。フォーカスレンズ７０を駆動するフォーカスモータ７２は，ＣＰＵ１４２からＤ／Ａ変換器１４４を介してアンプ７４に与えられる駆動信号によって駆動される。このとき，ＣＰＵ１４２は，フォーカスレンズ７０の位置（フォーカス位置）を，フォーカス位置検出部（インクリメント式エンコーダ）７６からＡ／Ｄ変換部１４６を介して取得しながら，上記駆動信号によりフォーカスレンズ７０を所望の位置に移動させる。同様に，ズームレンズ８０を駆動するズームモータ８２は，ＣＰＵ１４２からＤ／Ａ変換器１４４を介してアンプ８４に与えられる駆動信号によって駆動される。このとき，ＣＰＵ１４２は，ズームレンズ８０の位置（ズーム位置）を，ズーム位置検出部（インクリメント式エンコーダ）８６からＡ／Ｄ変換部１４６を介して取得しながら，上記駆動信号によりズームレンズ８０を所望の位置に，または所望の速度で移動させる。さらに同様に，アイリス９０を駆動するアイリスモータ９２は，ＣＰＵ１４２からＤ／Ａ変換部１４４を介してアンプ９４に与えられる駆動信号によって駆動される。このとき，ＣＰＵ１４２は，アイリス９０の開口度（開き具合）を，アイリス開口度検出部（インクリメント式エンコーダ）９６からＡ／Ｄ変換部１４６を介して取得しながら，上記駆動信号によりアイリス９０を所望の開口度になるように開閉動作させる。
【００３７】
このように，ＣＰＵ１４２によって制御されるフォーカス位置，ズーム位置（またはズーム速度），アイリスの開口度は，ＣＰＵ１４２に接続されたコントローラ（図示せず）を使用して撮影者が指定することが可能であるが，オートアイリスモード時においては，アイリスの開口度は，カメラ１２からの映像信号等に基づいてカメラ１２で被写体を撮影するのに適切な光量となるようにＣＰＵ１４２によって自動的に制御される。また，オートアイリスモード（Ａ）からマニュアルアイリスモード（Ｍ）へ切り替える際には，撮影者がアイリスＡ／Ｍ切替スイッチ１４８を操作すると，電気信号がＣＰＵ１４２に送られ，ＣＰＵ１４２から切替部９８に電気信号が送られることによって，切替部９８がＯＦＦ状態となる。したがって，アイリスモータ９２がアイリス９０を駆動させることができなくなり，撮影者は，アイリス９０を，上述したアイリスリング３６によって手動で操作する。逆に，撮影者がアイリスＡ／Ｍ切替スイッチ１４８を操作して，マニュアルアイリスモード（Ｍ）からオートアイリスモード（Ａ）に切り替えると，切替部９８はＯＮ状態となるので，アイリスモータ９２によりアイリス９０を駆動することができるようになる。
【００３８】
なお，レンズ駆動部１４は，レンズ装置１０と一体の装置としてレンズ装置１０に内蔵されていてもよく，レンズ装置１０とは別の装置としてレンズ装置１０のレンズ鏡胴３０の側部に取り付けられたドライブユニット２０に内蔵されていてもよい。
【００３９】
カメラ１２は，レンズ装置１０によって結像された像をＣＣＤ等の撮像素子（図示せず）によって電気信号（画像信号）に変換し，カメラ回路（図示せず）によって画像信号に各種信号処理を施して所定方式の映像信号を生成する等の処理を行う。本テレビレンズシステムにおいては，レンズ駆動部１４にカメラ回路で生成された映像信号が与えられる。
【００４０】
（第１の実施形態）
以上，従来のレンズ装置１０の構成および動作について説明した。上述したように，本発明の第１の実施形態に係るレンズ装置は，従来のレンズ装置１０に，アイリス切替手段の可動範囲を規制する規制部材を適用することにより，アイリス切替方向の設定を容易に切替可能としたものである。以下，本実施形態に係るレンズ装置の特徴部分について説明する。なお，その他の部分については，上述したレンズ装置１０と同様であるので，詳細な説明は省略する。
【００４１】
まず，図５および図６に基づいて，本発明の第１の実施形態に係るレンズ装置１００の構成および動作について説明する。なお，図５（ａ）は，本実施形態に係るレンズ装置１０のドライブユニット２０の構成を示す拡大斜視図であり，図５（ｂ）は，図５（ａ）に示した規制部材カバー６０の構成を示す拡大斜視図である。また，図６は，本実施形態に係るレンズ装置１００におけるアイリスモード切替方向の設定方法を説明するための説明図であり，（ａ）は，アイリスモード切替スイッチ１１０の構成を示し，（ｂ）は，規制部材１２０がスイッチ切替部１１４の可動範囲を第１位置と第２位置の間に規制した状態を示し，（ｃ）は，規制部材１２０がスイッチ切替部１１４の可動範囲を第２位置と第３位置の間に規制した状態を示している。
【００４２】
図５に示すように，本実施形態に係るレンズ装置１００においては，上述した従来のレンズ装置１０のアイリスモード切替部４６のアイリスモード切替スイッチ１１０（図６参照）の周囲を覆うように，規制部材１２０（図６を参照）が着脱可能に設置されている。また，規制部材１２０が設置されたアイリスモード切替スイッチ１１０を規制部材１２０の上からさらに覆うように規制部材カバー６０が設けられている。なお，アイリスモード切替スイッチ１１０および規制部材１２０の詳細については後述する。
【００４３】
規制部材カバー６０は，規制部材１２０が設置されたアイリスモード切替スイッチ１１０の周囲を覆うとともに，規制部材１２０の位置を固定するための部材であり，フレーム６０と，フレーム６０に形成された略矩形状のスイッチ案内窓６４および指標表示窓６６と，スイッチ案内窓６０の短辺側に設けられた蝶番６８とからなる。
【００４４】
フレーム６０は，ケース４０の外装面に配設されたシーソーレバー４４，アイリスモード切替部４６，アイリスモーメンタリスイッチ４７等の操作を阻害しないような形状に形成されていればよく，図４（ａ）に示した形状に限られるわけではない。
【００４５】
スイッチ案内窓６４は，アイリスモード切替部４６のアイリスモード切替スイッチ１１０（スライドスイッチ）のスライドを案内するためにフレーム６０に略矩形状に形成された開口部である。また，指標表示窓６６は，アイリスモードの切替方向および選択されているアイリスモードを表示するアイリスモード指標を撮影者に認識可能なようにするためにフレーム６０に形成された略矩形状の開口部である。
【００４６】
蝶番６８は，上述したように，スイッチ案内窓６４の短辺側に設けられており，規制部材カバー６０は，この蝶番６８により開閉可能にケース４０に取り付けられている。このように，規制部材カバー６０が開閉可能に設けられていることにより，後述するような規制部材１２０の着脱が容易となり，これにより，撮影者の趣向に応じたアイリスモード切替方向への設定の変更を容易に行うことができる。なお，蝶番６８が設けられる位置は，上述した位置に限られず，規制部材カバー６０が開閉可能であり，かつ，規制部材１２０の位置を固定可能であれば，蝶番６８を任意の位置に設けることができる。
【００４７】
次いで，図６に基づいて，アイリスモード切替スイッチ１１０およびアイリスモード規制部材１２０の構成について詳細に説明する。
【００４８】
図６に示すように，本実施形態に係るレンズ装置１００（図５参照）は，マニュアルアイリスモード（Ｍ）とオートアイリスモード（Ａ）のいずれか一方を選択するアイリスモード切替スイッチ１１０（本実施形態に係るアイリスモード切替手段）と，アイリスモード切替スイッチ１１０の周囲を覆うように着脱可能に設けられた規制部材１２０と，を備える。
【００４９】
アイリスモード切替スイッチ１１０は，図６（ａ）に示すようなスライドスイッチであり，スイッチ本体部１１２と，スイッチ本体部１１２に形成された案内溝１１２ａに沿ってスライド可能なスイッチ切替部１１４と，後述する規制部材１２０の位置を定めるための２つの位置決め凸部１１６ａ，１１６ｂとを有する。
【００５０】
スイッチ切替部１１４は，案内溝１１２ａに沿って，第１位置（本実施形態では，図６（ａ）の上側の「Ａ」に対応する位置），第２位置（本実施形態では，図６（ａ）の「Ｍ」に対応する位置）および第３位置（本実施形態では，図６（ａ）の下側の「Ａ」に対応する位置）の間で移動可能なように構成されている。このように，スイッチ切替部１１４が，第１位置，第２位置および第３位置の間で移動することにより，アイリスモード切替スイッチ１１０は，マニュアルアイリスモードとオートアイリスモードのいずれか一方を選択することができる。なお，図６等に記載された「Ａ」の指標は，オートアイリスモードが選択されていることを示すものであり，「Ｍ」の指標は，マニュアルアイリスモードが選択されていることを示すものである。
【００５１】
規制部材１２０は，図６（ｂ）に示すように，本体部１２２と，本体部１２２に形成された規制部１２４，指標表示部１２６および２つの位置決め孔１２２ａ，１２２ｂとを有する。
【００５２】
本体部１２２の形状は略矩形状であり，本体部１２２の大きさはアイリスモード切替スイッチ１１０の周囲を覆うことができる程度の大きさである。
【００５３】
規制部１２４は，本体部１２２の一側（スイッチ本体部１１２が配置されている側）の所定位置に形成された略矩形状の切り欠きであり，スイッチ切替部１１４の可動範囲（スライド可能な範囲）を，（１）第１位置と第２位置の間（図６（ｂ）を参照），または（２）第２位置と第３位置の間（図６（ｃ）を参照）に規制することができる。この規制部１２４の形状は，本実施形態におけるような略矩形状の切り欠きには限られず，スイッチ切替部１１４の可動範囲を（１）第１位置と第２位置の間，または（２）第２位置と第３位置の間に規制するものであれば，いかなる形状であってもよい。例えば，規制部は，略矩形状の開口部（窓）であってもよい。なお，規制部１２４がどのようにスイッチ切替部１１４の可動範囲を規制するかについては後述する。
【００５４】
指標表示部１２６は，例えば，スイッチ切替部１１４のスライド方向の長さが略同一な略矩形状の開口部であり，この開口部を通して，２つの「Ａ」の指標のうちのいずれか一方および「Ｍ」の指標を撮影者が認識可能な位置に形成される。この指標表示部１２６により，撮影者は，現在選択されているアイリスモードおよびアイリスモード切替方向を確認することができる。ただし，指標表示部の形状は，本実施形態におけるような略矩形状に限られず，撮影者が現在選択されているアイリスモードおよびアイリスモード切替方向を確認することができるものであれば，いかなる形状であってもよい。
【００５５】
位置決め孔１２２ａ，１２２ｂは，上述した位置決め凸部１１６ａ，１１６ｂに係合するように形成された略円形状の孔であり，本実施形態では，位置決め凸部１１６ａ，１１６ｂの個数に合わせて２つ形成されている。なお，規制部材１２０がアイリスモード切替手段１１０のスイッチ切替部１１４の可動範囲を規制するように位置決めをすることができるものであれば，位置決め孔の形状および個数については特に限定されない。
【００５６】
また，規制部材１２０の位置決め手段としては，上述した位置決め凸部１１６ａ，１１６ｂと，位置決め孔１２２ａ，１２２ｂとを係合させるものには限られず，例えば，ねじ止め等により規制部材１２０を固定することにより位置決めしても良い。ただし，上述したように，位置決め凸部１１６ａ，１１６ｂと，位置決め孔１２２ａ，１２２ｂとを係合させることにより規制部材１２０の位置を定めた上で，規制部材カバー６０により定めた位置に規制部材１２０を固定する方が，撮影者の趣向に応じたアイリスモード切替方向への設定の変更をより容易に行うことができるものと考えられる。
【００５７】
次に，図６（ｂ），（ｃ）に基づいて，アイリスモード切替方向の設定方法について詳細に説明する。
【００５８】
第１に，スイッチ切替部１１４の可動範囲を（１）第１位置と第２位置との間に規制する場合には，図６（ｂ）に示すように，位置決め凸部１１６ａを位置決め孔１２２ａに，位置決め凸部１１６ｂを位置決め孔１２２ｂに，それぞれ係合させ，規制部材１２０を設置する。このとき，第１位置を示す指標である上側の「Ａ」および第２位置を示す指標である「Ｍ」が，指標表示部１２６に表示されている。この状態から，アイリスモード切替スイッチ１１０のスイッチ切替部１１４を第２位置から第３位置へスライドさせようとしても，スイッチ切替部１１４が規制部１２４の下側（第３位置側）の側面に当接するため，スイッチ切替部１１４は第２位置から下側へはスライドしない。このようにして，スイッチ切替部１１４の可動範囲は，第１位置と第２位置との間で規制され，アイリスモード切替方向，例えば，ＡからＭへの切替方向は，図６（ｂ）の下向きに設定される。
【００５９】
第２に，スイッチ切替部１１４の可動範囲を（２）第２位置と第３位置との間に規制する場合には，まず，規制部材１２０を，図６（ｂ）に示した状態から，スイッチ切替部１１４のスライド方向上下を逆にして反転させる。次いで，図６（ｃ）に示すように，位置決め凸部１１６ａを位置決め孔１２２ｂに，位置決め凸部１１６ｂを位置決め孔１２２ａに，それぞれ係合させ，規制部材１２０を設置する。このとき，第２位置を示す指標である「Ｍ」および第３位置を示す指標である下側の「Ａ」が，指標表示部１２６に表示されている。この状態から，アイリスモード切替スイッチ１１０のスイッチ切替部１１４を第２位置から第１位置へスライドさせようとしても，スイッチ切替部１１４が規制部１２４の上側（第１位置側）の側面に当接するため，スイッチ切替部１１４は第２位置から上側へはスライドしない。このようにして，スイッチ切替部１１４の可動範囲は，第２位置と第３位置との間で規制され，アイリスモード切替方向，例えば，ＡからＭへの切替方向は，図６（ｃ）の上向きに設定される。
【００６０】
以上のように，本実施形態に係るレンズ装置１００では，アイリスモード切替手段１１０のスイッチ切替部１１４の可動範囲を規制する規制部材１２０をアイリスモード切替スイッチ１１０と着脱可能に構成している。したがって，撮影者がアイリスモード切替方向の設定を切り替えたい場合には，ディップスイッチ等の煩雑な操作をすることなく，規制部材１２０の向きを反転させてアイリスモード切替手段１１０に設置するだけで，容易にアイリスモード切替方向の設定を切り替えることができる。また，本実施形態に係るレンズ装置１００においては，アイリスモードの指標を貼りかえる必要も無く，規制部１２４と指標表示部１２６の位置および形状により，アイリスモードの切替方向と指標の表示が必ず一致するようにすることができる。さらに，アイリスモードの指標は銘板ではなく，貼りかえる必要もないので，銘板を紛失することもなく，銘板の貼り替えを繰り返しによる銘板の脱落もない。
【００６１】
（第２の実施形態）
次に，図７に基づいて，本発明の第２の実施形態に係るアイリスモード切替スイッチ２１０およびアイリスモード規制部材２２０の構成およびアイリスモード切替方向の設定方法について詳細に説明する。なお，図７は，本実施形態に係るレンズ装置２００におけるアイリスモード切替方向の設定方法を説明するための説明図であり，（ａ）は，アイリスモード切替スイッチ２１０の構成を示し，（ｂ）は，規制部材２２０がスイッチ切替部２１４の可動範囲を第１位置と第２位置の間に規制した状態を示し，（ｃ）は，規制部材２２０がスイッチ切替部２１４の可動範囲を第２位置と第３位置の間に規制した状態を示し，（ｄ）は，規制部材２２０がスイッチ切替部２１４の可動範囲を第１位置のみに規制した状態を示し，（ｅ）は，規制部材２２０がスイッチ切替部２１４の可動範囲を第３位置のみに規制した状態を示している。
【００６２】
本実施形態に係るレンズ装置２００（図５を参照）においては，アイリスモード切替スイッチのスイッチ切替部の可動範囲を（１）第１位置と第２位置の間（図７（ｂ）を参照），（２）第２位置と第３位置の間（図７（ｃ）を参照），（３）第１位置のみ，または（４）第３位置のみに規制することができる。すなわち，上述した第１の実施形態に係るレンズ装置１００の場合と異なり，アイリスモード切替方向の設定を切り替えることだけでなく，第１位置または第３位置においてオートモードで固定（ＬＯＣＫ）する機能をさらに有している。
【００６３】
本実施形態に係るアイリスモード切替スイッチ２１０は，スイッチ本体部２１２と，スイッチ本体部２１２に形成された案内溝２１２ａに沿ってスライド可能なスイッチ切替部２１４と，後述する規制部材２２０の位置を定めるための２つの位置決め凸部２１６ａ，２１６ｂとを有する。このアイリスモード切替スイッチ２１０の詳細な構成については，上述した第１の実施形態に係るアイリスモード切替スイッチ１１０の構成と同様であるので，説明を省略する。以下，本実施形態に係る規制部２２４の構成について説明する。
【００６４】
規制部材２２０は，図７（ｂ）等に示すように，本体部２２２，本体部２２２に形成された規制部２２４，指標表示部２２６および４つの位置決め孔２２２ａ，２２２ｂ，２２２ｃ，２２２ｄを有する。
【００６５】
本体部２２２の形状は略矩形状であり，本体部２２２の大きさはアイリスモード切替スイッチ２１０の周囲を覆うことができる程度の大きさである。
【００６６】
本実施形態に係る規制部２２４は，本体部２２２の一側（スイッチ本体部２１２が配置されている側）の所定位置に形成された略矩形状の切り欠きであり，スイッチ切替部２１４の可動範囲（スライド可能な範囲）を，（１）第１位置と第２位置の間（図７（ｂ）を参照），（２）第２位置と第３位置の間（図７（ｃ）を参照），（３）第１位置のみ，または（４）第３位置のみに規制することができる。この規制部２２４の形状は，本実施形態におけるような略矩形状の切り欠きには限られず，スイッチ切替部２１４の可動範囲を（１）第１位置と第２位置の間，（２）第２位置と第３位置の間，（３）第１位置のみ，または（４）第３位置のみに規制するものであれば，いかなる形状であってもよい。例えば，規制部は，略矩形状の開口部（窓）であってもよい。なお，規制部２２４がどのようにスイッチ切替部２１４の可動範囲を規制するかについては後述する。
【００６７】
指標表示部２２６は，例えば，スイッチ切替部２１４のスライド方向の長さが略同一な略矩形状の開口部であり，この開口部を通して，２つの「Ａ」の指標のうちのいずれか一方および「Ｍ」の指標を撮影者が認識可能な位置に形成される。この指標表示部２２６により，撮影者は，現在選択されているアイリスモードおよびアイリスモード切替方向を確認することができる。ただし，指標表示部の形状は，本実施形態におけるような略矩形状に限られず，撮影者が現在選択されているアイリスモードおよびアイリスモード切替方向を確認することができるものであれば，いかなる形状であってもよい。
【００６８】
位置決め孔２２２ａ，２２２ｂ，２２２ｃ，２２２ｄは，位置決め凸部２１６ａ，２１６ｂに係合するように形成された略円形状の孔であり，本実施形態では，４つ形成されている。なお，規制部材２２０がアイリスモード切替手段２１０のスイッチ切替部２１４の可動範囲を規制するように位置決めをすることができるものであれば，位置決め孔の形状および個数については特に限定されない。
【００６９】
また，規制部材２２０の位置決め手段としては，上述した位置決め凸部２１６ａ，２１６ｂと，位置決め孔２２２ａ，２２２ｂ，２２２ｃ，２２２ｄとを係合させるものには限られず，例えば，ねじ止め等により規制部材２２０を固定することにより位置決めしても良い。ただし，上述したように，位置決め凸部２１６ａ，２１６ｂと，位置決め孔２２２ａ，２２２ｂ，２２２ｃ，２２２ｄとを係合させることにより規制部材２２０の位置を定めた上で，規制部材カバー６０により定めた位置に規制部材２２０を固定する方が，撮影者の趣向に応じたアイリスモード切替方向への設定の変更をより容易に行うことができるものと考えられる。
【００７０】
次に，図７（ｂ）〜（ｅ）に基づいて，アイリスモード切替方向の設定方法について詳細に説明する。
【００７１】
第１に，スイッチ切替部２１４の可動範囲を（１）第１位置と第２位置との間に規制する場合には，図７（ｂ）に示すように，位置決め凸部２１６ａを位置決め孔２２２ａに，位置決め凸部２１６ｂを位置決め孔２２２ｃに，それぞれ係合させ，規制部材２２０を設置する。このとき，第１位置を示す指標である上側の「Ａ」および第２位置を示す指標である「Ｍ」が，指標表示部２２６に表示されている。この状態から，アイリスモード切替スイッチ２１０のスイッチ切替部２１４を第２位置から第３位置へスライドさせようとしても，スイッチ切替部２１４が規制部２２４の下側（第３位置側）の側面に当接するため，スイッチ切替部２１４は第２位置から下側へはスライドしない。このようにして，スイッチ切替部２１４の可動範囲は，第１位置と第２位置との間で規制され，アイリスモード切替方向，例えば，ＡからＭへの切替方向は，図７（ｂ）の下向きに設定される。
【００７２】
第２に，スイッチ切替部２１４の可動範囲を（２）第２位置と第３位置との間に規制する場合には，まず，規制部材２２０を，図７（ｂ）に示した状態から，スイッチ切替部２１４のスライド方向上下を逆にして反転させる。次いで，図７（ｃ）に示すように，位置決め凸部２１６ａを位置決め孔２２２ｃに，位置決め凸部２１６ｂを位置決め孔２２２ａに，それぞれ係合させ，規制部材２２０を設置する。このとき，第２位置を示す指標である「Ｍ」および第３位置を示す指標である下側の「Ａ」が，指標表示部２２６に表示されている。この状態から，アイリスモード切替スイッチ２１０のスイッチ切替部２１４を第２位置から第１位置へスライドさせようとしても，スイッチ切替部２１４が規制部２２４の上側（第１位置側）の側面に当接するため，スイッチ切替部２１４は第２位置から上側へはスライドしない。このようにして，スイッチ切替部２１４の可動範囲は，第２位置と第３位置との間で規制され，アイリスモード切替方向，例えば，ＡからＭへの切替方向は，図７（ｃ）の上向きに設定される。
【００７３】
第３に，スイッチ切替部２１４の可動範囲を（３）第１位置のみに規制する場合には，規制部材２２０を，図７（ｂ）に示した状態から上方（第１位置側）に移動させ，図７（ｄ）に示すように，位置決め凸部２１６ａを位置決め孔２２２ｂに，位置決め凸部２１６ｂを位置決め孔２２２ｄに，それぞれ係合させ，規制部材２２０を設置する。このとき，第１位置を示す指標である上側の「Ａ」および上側の「Ａ」で固定されていることを示す「ＬＯＣＫ」が，指標表示部２２６に表示されている。この状態から，アイリスモード切替スイッチ２１０のスイッチ切替部２１４を第１位置から第２位置へスライドさせようとしても，スイッチ切替部２１４が規制部２２４の下側（第２位置側）の側面に当接するため，スイッチ切替部２１４は第１位置から下側へはスライドしない。すなわち，第１位置に固定された状態となる。このようにして，スイッチ切替部２１４の可動範囲は，第１位置のみに規制され，アイリスモードは，第１位置（上側の「Ａ」）でオートアイリスモードに固定（ＬＯＣＫ）される。
【００７４】
第４に，スイッチ切替部２１４の可動範囲を（４）第３位置のみに規制する場合には，規制部材２２０を，図７（ｃ）に示した状態から下方（第３位置側）に移動させ，図７（ｅ）に示すように，位置決め凸部２１６ａを位置決め孔２２２ｄに，位置決め凸部２１６ｂを位置決め孔２２２ｂに，それぞれ係合させ，規制部材２２０を設置する。このとき，第１位置を示す指標である下側の「Ａ」および下側の「Ａ」で固定されていることを示す「ＬＯＣＫ」が，指標表示部２２６に表示されている。この状態から，アイリスモード切替スイッチ２１０のスイッチ切替部２１４を第３位置から第２位置へスライドさせようとしても，スイッチ切替部２１４が規制部２２４の上側（第２位置側）の側面に当接するため，スイッチ切替部２１４は第３位置から上側へはスライドしない。すなわち，第３位置に固定された状態となる。このようにして，スイッチ切替部２１４の可動範囲は，第３位置のみに規制され，アイリスモードは，第３位置（下側の「Ａ」）でオートアイリスモードに固定（ＬＯＣＫ）される。
【００７５】
以上のように，本実施形態に係るレンズ装置２００では，アイリスモード切替手段２１０のスイッチ切替部２１４の可動範囲を規制する規制部材２２０をアイリスモード切替スイッチ２１０と着脱可能に構成している。したがって，撮影者がアイリスモード切替方向の設定を切り替えたい場合には，ディップスイッチ等の煩雑な操作をすることなく，規制部材２２０の向きを反転させたり，位置を移動させたりして，アイリスモード切替手段２１０に設置するだけで，容易にアイリスモード切替方向の設定を切り替えることができる。また，本実施形態に係るレンズ装置２００においては，アイリスモードの指標を貼りかえる必要も無く，規制部２２４と指標表示部２２６の位置および形状により，アイリスモードの切替方向と指標の表示が必ず一致するようにすることができる。さらに，アイリスモードの指標は銘板ではなく，貼りかえる必要もないので，銘板を紛失することもなく，銘板の貼り替えを繰り返しによる銘板の脱落もない。
【００７６】
加えて，本実施形態に係るレンズ装置２００では，上述した第１の実施形態とは異なり，スイッチ切替部２１４の可動範囲を，（１）第１位置と第２位置の間，（２）第２位置と第３位置の間に加えて，（３）第１位置のみ，（４）第３位置のみに規制することができるので，アイリスモードをオートアイリスモードで固定（ＬＯＣＫ）することもできる。これにより，スタジオでの撮影等においてアイリスモードをオートアイリスモードに固定して撮影する場合に，撮影者の誤操作によるアイリスの制御が不能になるという不都合を防止することができる。
【００７７】
（第３の実施形態）
次に，図８〜図１０に基づいて，本発明の第３の実施形態に係るレンズ装置３００の構成および動作について説明する。なお，図８は，本発明の第３の実施形態に係るレンズ装置３００のドライブユニットの構成を示す拡大斜視図であり，図９は，同実施形態に係る規制部材３２０の規制部３２２と指標表示部３２４の構成を示す説明図であり，図１０は，同実施形態に係るドライブユニットの要部の内部構成を示す図であり，（ａ）は断面図，（ｂ）は指標環３３０の平面図である。
【００７８】
本実施形態に係るレンズ装置３００におけるアイリスモード切替スイッチは，上述した第１および第２の実施形態のようなスライドスイッチの代わりに，回転式のスイッチを採用している。すなわち，図８に示すように，本実施形態に係るレンズ装置３００においては，切替つまみ３１２を規制部材３２０の規制部３２２に沿って回動させることにより，アイリスモードの切替を行うことができる。以下，本実施形態に係るレンズ装置３００の特徴部分について説明する。なお，その他の部分については，上述したレンズ装置１０と同様であるので，詳細な説明は省略する。
【００７９】
まず，図８〜図１０に基づいて，本実施形態に係るレンズ装置３００の構成について説明する。
【００８０】
図８〜図１０に示すように，本実施形態に係るレンズ装置３００は，マニュアルアイリスモード（Ｍ）とオートアイリスモード（Ａ）のいずれか一方を選択するアイリスモード切替スイッチ３１０（本実施形態に係るアイリスモード切替手段）と，アイリスモード切替スイッチ３１０の周囲を覆うように設けられた規制部材３２０と，選択されているアイリスモードおよびアイリスモードの切替方向を示すアイリスモード指標が表示された指標環３３０と，を備える。
【００８１】
アイリスモード切替スイッチ３１０は，図８〜図１０に示すような略円筒状の回転式のスイッチであり，切替つまみ３１２と，アイリスモード切替スイッチ３１０の一側面に設けられた係合部３１４と，他側面に設けられた端子３１６，３１６と，該端子３１６，３１６に接続された配線３１８，３１８とを有する。
【００８２】
切替つまみ３１２は，回動軸を中心として，第１位置（本実施形態では，図９の上側の「Ａ」に対応する位置），第２位置（本実施形態では，図９の「Ｍ」に対応する位置）および第３位置（本実施形態では，図９の下側の「Ａ」に対応する位置）の間で回動可能なように構成されている。このように，切替つまみ３１２が，第１位置，第２位置および第３位置の間で回動することにより，アイリスモード切替スイッチ３１０は，マニュアルアイリスモードとオートアイリスモードのいずれか一方を選択することができる。なお，図８および図９に記載された「Ａ」の指標は，オートアイリスモードが選択されていることを示すものであり，「Ｍ」の指標は，マニュアルアイリスモードが選択されていることを示すものである。また，切替つまみ３１２には，係合部３１４が係合する係合孔３１２ａが形成されている。
【００８３】
係合部３１４は，切替つまみ３１２の回転軸方向に延設され，上記係合孔３１２ａと係合することにより，切替つまみ３１２の回動に連動してアイリスモード切替スイッチ３１０が回動するようにするための部材である。また，２つの端子３１６，３１６は，アイリスモード切替スイッチ３１０の係合部３１４とは反対側に設けられており，配線３１８，３１８を介して，ケース４０内に配設された回転式スイッチ駆動機構（図示せず）に接続される。なお，係合部３１４は，固定ピン３１３により係合孔３１２ａ内で固定されており，切替つまみ３１２を回動させると，アイリスモード切替スイッチ３１０が切替つまみ３１２と連動して回動するように構成されている。
【００８４】
規制部材３２０は，図８および図１０に示すように，ドライブユニット２０のケース４０と一体的に設けられており，アイリスモード切替スイッチ３１０の周囲を覆うように設けられており，規制部３２２と，指標表示部３２４と，位置決めネジ用貫通孔３２６と，固定ネジ用貫通孔３２８とが形成されている。
【００８５】
規制部３２２は，略矩形状であり，切替つまみ３１２の可動範囲（回動可能な範囲）を，（１）第１位置と第２位置の間（図９（ａ）を参照），または（２）第２位置と第３位置の間（図９（ｂ）を参照）に規制することができる。この規制部３２２の形状は，本実施形態におけるような略矩形状には限られず，切替つまみ３１２の可動範囲を（１）第１位置と第２位置の間，または（２）第２位置と第３位置の間に規制するものであれば，いかなる形状であってもよい。なお，規制部３２２がどのように切替つまみ３１２の可動範囲を規制するかについては後述する。
【００８６】
指標表示部３２４は，例えば，略矩形状の開口部であり，この開口部を通して，２つの「Ａ」の指標のうちのいずれか一方および「Ｍ」の指標を撮影者が認識可能な位置に形成される。この指標表示部３２４により，撮影者は，現在選択されているアイリスモードおよびアイリスモード切替方向を確認することができる。ただし，指標表示部の形状は，本実施形態におけるような略矩形状に限られず，撮影者が現在選択されているアイリスモードおよびアイリスモード切替方向を確認することができるものであれば，いかなる形状であってもよい。
【００８７】
位置決めネジ用貫通孔３２６は，後述する位置決めネジ３３４が挿入される略円形状の貫通孔であり，固定ネジ用貫通孔３２８は，後述する固定ネジ３３８が挿入される略円形状の貫通孔である。なお，位置決め用貫通孔３２６および固定ネジ用貫通孔３２８の形状は，上記略円形状に限られず，位置決めネジ３３４や固定ネジ３３８を挿入して固定できるものであれば，いかなる形状であってもよい。
【００８８】
指標環３３０は，略円筒状の形状であり，その表面に，オートアイリスモードを示す「Ａ」の指標が２箇所，およびマニュアルアイリスモードを示す「Ｍ」の指標が１箇所表示されている。また，指標環３３０の内部側には，上述したアイリスモード切替スイッチ３１０を収容するためのスイッチ収容部３３１と，位置決めネジ３３４と係合する２つの位置決め孔３３２Ａ，３３２Ｂと，固定ネジ３３８と係合する固定孔３３６とが形成されている。
【００８９】
スイッチ収容部３３１は，指標環３３０のアイリスモード切替スイッチ３１０側に形成されており，アイリスモード切替スイッチ３１０を回動可能に収容する。スイッチ収容部３３１の形状は，アイリスモード切替スイッチ３１０の形状に合わせて，内周が略円筒状に形成されているが，アイリスモード切替スイッチ３１０を回動可能に収容することができれば，特にその形状は限定されない。
【００９０】
位置決めネジ３３４は，位置決め孔３３２Ａ，３３２Ｂと係合することにより，指標環３３０の位置を決めるものである。すなわち，位置決め孔３３２Ａまたは位置決め孔３３２Ｂのいずれか一方が，位置決め孔用貫通孔３２６を貫通した位置決めネジ３３４と係合することにより，指標表示部３２４に，（１）第１位置の「Ａ」の指標および「Ｍ」の指標または（２）「Ｍ」の指標および第３位置の「Ａ」の指標を表示することができる。
【００９１】
固定ネジ３３８は，固定孔３３６と係合することにより，上記位置決め孔３３２Ａ，３３２Ｂと位置決めネジ３３４とにより位置決めされた指標環３３０を固定するものである。このように，固定孔３３６と固定ネジ３３８との係合により，上記位置決めされた位置で指標環３３０のみが固定され，その内部に回動可能に収容されているアイリスモード切替スイッチ３１０，および係合部３１４と係合孔３１２ａとの係合によりアイリスモード切替スイッチ３１０と連結された切替つまみ３１２のみが回動することができる。ただし，切替つまみ３１２は，規制部３２２によりその可動範囲が規制されるので，アイリスモード切替スイッチ３１０の回動も同様に規制される。
【００９２】
次に，図９および図１０に基づいて，アイリスモード切替方向の設定方法について詳細に説明する。
【００９３】
第１に，切替つまみ３１２の可動範囲を（１）第１位置と第２位置との間に規制する場合（図９（ａ）の状態）には，固定ネジ３３８，位置決めネジ３３４を緩めた後に，切替つまみ３１２，アイリスモード切替スイッチ３１０および指標環３３０全体を回動させて，位置決めネジ３３４の位置に位置決め孔３３２Ｂを合わせる。次いで，位置決めネジ３３４を締めることにより位置決めネジ３３４と位置決め孔３３２Ｂとを係合させ，最後に，固定ネジ３３８を締めて指標環３３０の位置を固定する。このとき，指標表示部３２４には，第１位置の「Ａ」の指標および「Ｍ」の指標が表示されており，第３位置の「Ａ」の指標は，規制部材３２０により覆われているため外部からは認識することができない。
【００９４】
また，規制部３２２と指標表示部３２４の切替つまみ３１２の回動方向の長さは，略同一となるように形成されているので，切替つまみ３１２が規制部３２２の側面と当接することにより，切替つまみ３１２の可動範囲は，第１位置と第２位置との間に規制される。このようにして，アイリスモード切替方向は，図９（ａ）に示した方向，すなわち，切替つまみ３１２を時計回り方向に回動させると，マニュアルアイリスモードからオートアイリスモードに切り替わる方向に設定される。
【００９５】
第２に，切替つまみ３１２の可動範囲を（２）第２位置と第３位置との間に規制する場合には，固定ネジ３３８，位置決めネジ３３４を緩めた後に，切替つまみ３１２，アイリスモード切替スイッチ３１０および指標環３３０全体を回動させて，位置決めネジ３３４の位置に位置決め孔３３２Ａを合わせる。次いで，位置決めネジ３３４を締めることにより位置決めネジ３３４と位置決め孔３３２Ａとを係合させ，最後に，固定ネジ３３８を締めて指標環３３０の位置を固定する。このとき，指標表示部３２４には，第３位置の「Ａ」の指標および「Ｍ」の指標が表示されており，第１位置の「Ａ」の指標は，規制部材３２０により覆われているため外部からは認識することができない。
【００９６】
また，上述したように，規制部３２２と指標表示部３２４の切替つまみ３１２の回動方向の長さは，略同一となるように形成されているので，切替つまみ３１２が規制部３２２の側面と当接することにより，切替つまみ３１２の可動範囲は，第２位置と第３位置との間に規制される。このようにして，アイリスモード切替方向は，図９（ｂ）に示した方向，すなわち，切替つまみ３１２を反時計回り方向に回動させると，マニュアルアイリスモードからオートアイリスモードに切り替わる方向に設定される。
【００９７】
以上のように，本実施形態に係るレンズ装置３００では，アイリスモード切替手段３１０の切替つまみ３１２の可動範囲を規制する規制部材３２０をケース４０と一体的に構成する一方で，アイリスモード切替スイッチ３１０，切替つまみ３１２および指標環３３０を回動可能に構成している。したがって，撮影者がアイリスモード切替方向の設定を切り替えたい場合には，ディップスイッチ等の煩雑な操作をすることなく，アイリスモード切替スイッチ３１０，切替つまみ３１２および指標環３３０を回動させて位置決めした後に固定するだけで，容易にアイリスモード切替方向の設定を切り替えることができる。また，本実施形態に係るレンズ装置３００においては，アイリスモードの指標を貼りかえる必要も無く，規制部３２２と指標表示部３２４の位置および形状により，アイリスモードの切替方向と指標の表示が必ず一致するようにすることができる。さらに，アイリスモードの指標は銘板ではなく，貼りかえる必要もないので，銘板を紛失することもなく，銘板の貼り替えを繰り返しによる銘板の脱落もない。
【００９８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９９】
例えば，上述した実施形態においては，アイリスモード切替手段として，スライドスイッチまたは回転式のスイッチを例に挙げて説明したが，これらのスイッチには限られない。
【０１００】
また，上述した第３の実施形態においては，規制部材３２０がドライブユニット２０のケース４０と一体的に設けられている例について説明したが，規制部材は，ケース４０と着脱可能に設けられていてもよい。このように，規制部材をケース４０と着脱可能に設けることにより，規制部材３２０とは形状の異なる規制部材をケース４０に取り付けて，アイリスモードをオートアイリスモードに固定するように，切替つまみ３１２の可動範囲を規制することも可能となる。
【産業上の利用可能性】
【０１０１】
本発明は，レンズ装置に適用可能であり，特に，ＥＮＧカメラ等の放送用テレビカメラに使用されてアイリス調整を自動または手動で行うことが可能なレンズ装置に適用可能である。
【図面の簡単な説明】
【０１０２】
【図１】従来のレンズ装置の外観構成を示す平面図である。
【図２】従来のレンズ装置の外観構成を示す正面図である。
【図３】図１に示すレンズ装置に設けられたドライブユニットの拡大斜視図である。
【図４】従来のレンズ装置を備えるテレビレンズシステムの構成を示す説明図である。
【図５】（ａ）は，本発明の第１の実施形態に係るレンズ装置のドライブユニットの構成を示す拡大斜視図であり，（ｂ）は，（ａ）に示した規制部材カバーの構成を示す拡大斜視図である。
【図６】本発明の第１の実施形態に係るレンズ装置におけるアイリスモード切替方向の設定方法を説明するための説明図である。
【図７】本発明の第２の実施形態に係るレンズ装置におけるアイリスモード切替方向の設定方法を説明するための説明図である。
【図８】本発明の第３の実施形態に係るレンズ装置３００のドライブユニットの構成を示す拡大斜視図である。
【図９】同実施形態に係る規制部材３２０の規制部３２２と指標表示部３２４の構成を示す説明図である。
【図１０】同実施形態に係るドライブユニットの要部の内部構成を示す図であり，（ａ）は断面図，（ｂ）は指標環３３０の平面図である。
【符号の説明】
【０１０３】
１０      レンズ装置
１２      カメラ（テレビカメラ本体）
１４      レンズ駆動部
２０      ドライブユニット
３０      レンズ鏡胴
３６      アイリスリング
４０      ケース
４６      アイリスモード切替部
４８      アイリスモード指標
９０      アイリス
１００      レンズ装置
１１０      アイリスモード切替スイッチ
１１４      スイッチ切替部
１２０      規制部材
１２４      規制部
１２６      指標表示部
２００      レンズ装置
２１０      アイリスモード切替スイッチ
２１４      スイッチ切替部
２２０      規制部材
２２４      規制部
２２６      指標表示部
３００      レンズ装置
３１０      アイリスモード切替スイッチ
３１２      切替つまみ
３２０      規制部材
３２２      規制部
３２４      指標表示部
３３０      指標環
【図１】
2007140255.tif 000003
【図２】
2007140255.tif 000004
【図３】
2007140255.tif 000005
【図４】
2007140255.tif 000006
【図５】
2007140255.tif 000007
【図６】
2007140255.tif 000008
【図７】
2007140255.tif 000009
【図８】
2007140255.tif 000010
【図９】
2007140255.tif 000011
【図１０】
2007140255.tif 000012